(57)【特許請求の範囲】
【請求項１】
同じ外形形状・寸法、同じ表面テクスチャーを有し、且つ、表面に長手方向の全長に亘って連続する凹溝が複数本設けられると共にこの凹溝と直交して交差する交差溝が設けられていない第１の外装板と、表面に長手方向の全長に亘って連続する凹溝とこの凹溝と直交して交差する交差溝とが設けられていない第２の外装板と、表面に長手方向の全長に亘って連続する凹溝が１本設けられると共にこの凹溝と直交して交差する交差溝が設けられていない第３の外装板とにより構成される、凹溝の本数（０本を含む）が異なる複数種類の外装板を備え、第１〜第３の外装板を長手辺で上下に接続して張ることによって形成されたことを特徴とする外壁構造。
【請求項２】
同じ外形形状・寸法、同じ表面テクスチャーを有し、且つ、表面に長手方向の全長に亘って連続する凹溝が複数本設けられると共にこの凹溝と直交して交差する交差溝が設けられていない第１の外装板と、表面に長手方向の全長に亘って連続する凹溝とこの凹溝と直交して交差する交差溝とが設けられていない第２の外装板とにより構成される、凹溝の本数（０本を含む）が異なる複数種類の外装板を備え、第１及び第２の外装板を、第１の外装板及び第２の外装板のうちの少なくとも一方を連続させて、長手辺で上下に接続して張ることによって形成されたことを特徴とする外壁構造。
【請求項３】
上記複数種類の外装板は、同じ表面色彩を有することを特徴とする請求項１又は２に記載の外壁構造。
【請求項４】
凹溝は、外装板を短手方向に等間隔に分割する位置に設けられていることを特徴とする請求項１乃至３のいずれか１項に記載の外壁構造。
【請求項５】
凹溝の本数が異なる外装板を短手辺で接続した際に、凹溝の本数が多い外装板の凹溝に、凹溝の本数が少ない外装板の総ての凹溝が連続するように、凹溝が設けられていることを特徴とする請求項１乃至４のいずれか１項に記載の外壁構造。
【請求項６】
外装板の一方の長手辺に凹溝と同じ溝幅及び溝深さの凹段溝が長手方向の全長に亘って形成されていることを特徴とする請求項１乃至５のいずれか１項に記載の外壁構造。
【発明の詳細な説明】
【技術分野】
【０００１】
本発明は、凹溝を設けた外装板を張り並べて形成される外壁構造に関するものである。
【背景技術】
【０００２】
セメント系など窯業系の材料で作製される外装板を張り並べて、家屋の外壁を形成することが従来から広く行われている。そしてこの外装板には、石、レンガ、タイルその他、様々な材料の素材をモチーフとした表面模様が施されており、一種類の同じ表面模様の外装板を張り並べたり、あるいは異なる表面模様に形成された複数種類の外装板を組み合わせて張り並べたりすることによって、外装板の表面模様に応じた外壁面の外観形成が行なわれている。例えば、長手方向の全長に亘って凹溝を設けた外装板を用いることによって、凹溝がストライプ状に配置された外観に外壁面を形成することができるものである（例えば特許文献１等参照）。
【特許文献１】特開平６−２６４５８６号公報
【発明の開示】
【発明が解決しようとする課題】
【０００３】
しかし、一種類の同じ表面模様の外装板を張り並べる場合には、壁面の全面が同じ表面模様の繰り返しになるため、外壁は単調で変化に乏しい外観になってしまうものであり、また異なる表面模様の複数種の外装板を組み合わせて張り並べる場合には、外壁の全体において外観の統一感を図ることが難しくなり、煩雑な外観になるものであった。
【０００４】
本発明は上記の点に鑑みてなされたものであり、壁面全体において統一感を保ちつつ、変化のある外観に壁面を形成することができる外壁構造を提供することを目的とするものである。
【課題を解決するための手段】
【０００５】
本発明は、同じ外形形状・寸法、同じ表面テクスチャーを有し、且つ、表面に長手方向の全長に亘って連続する凹溝１が複数本設けられると共にこの凹溝１と直交して交差する交差溝４が設けられていない第１の外装板と、表面に長手方向の全長に亘って連続する凹溝１とこの凹溝１と直交して交差する交差溝４とが設けられていない第２の外装板と、表面に長手方向の全長に亘って連続する凹溝１が１本設けられると共にこの凹溝１と直交して交差する交差溝４が設けられていない第３の外装板とにより構成される、凹溝１の本数（０本を含む）が異なる複数種類の外装板２を備え、第１〜第３の外装板を長手辺で上下に接続して張ることによって形成されたことを特徴とするものである。
あるいは、本発明は、同じ外形形状・寸法、同じ表面テクスチャーを有し、且つ、表面に長手方向の全長に亘って連続する凹溝１が複数本設けられると共にこの凹溝１と直交して交差する交差溝４が設けられていない第１の外装板と、表面に長手方向の全長に亘って連続する凹溝１とこの凹溝１と直交して交差する交差溝４とが設けられていない第２の外装板とにより構成される、凹溝１の本数（０本を含む）が異なる複数種類の外装板２を備え、第１及び第２の外装板を、第１の外装板及び第２の外装板のうちの少なくとも一方を連続させて、長手辺で上下に接続して張ることによって形成されたことを特徴とするものである。
本発明では、外装板２の一方の長手辺に凹溝１と同じ溝幅及び溝深さの凹段溝３が長手方向の全長に亘って形成されていてもよい。
【０００６】
複数種の外装板２は凹溝１を有しないか、凹溝１の本数が異なるか以外、共通した外観に形成されているものであり、これらの外装板２を複数種張り並べることによって、凹溝１を基調とした模様で、外壁の壁面全面に統一感のある外観を形成することができると共に、凹溝１は単調な繰り返しで配置されることがなく、変化のある外観に壁面を形成することができるものである。
【０００７】
また本発明は、上記複数種類の外装板２は、同じ表面色彩を有することを特徴とするものである。
【０００８】
この発明によれば、外壁の壁面全面を色彩のうえでも統一感のある外観に形成することができるものである。
【０００９】
また本発明は、上記凹溝１は、外装板２を短手方向に等間隔に分割する位置に設けられていることを特徴とするものである。
【００１０】
この発明によれば、凹溝１の配置が不規則で煩雑なものになることがなく、外壁の壁面全面に統一感のある外観を形成することが容易になるものである。
【００１１】
また本発明は、凹溝１の本数が異なる外装板２を短手辺で接続した際に、凹溝１の本数が多い外装板２の凹溝１に、凹溝１の本数が少ない外装板２の総ての凹溝１が連続するように、凹溝１が設けられていることを特徴とするものである。
【００１２】
この発明によれば、外装板２の接続部間において凹溝１の連続性を最大限に得ることができ、外装板２を連続性のある外観で接続することができるものであり、外壁面の全面に自然で統一感のある外観を形成することが容易になるものである。
【発明の効果】
【００１５】
本発明によれば、複数種の外装板２は凹溝１を有しないか、凹溝１の本数が異なるか以外、共通した外観に形成されているものであり、これらの外装板２を複数種張り並べることによって、凹溝１を基調とした模様で、外壁の壁面全面に統一感のある外観を形成することができると共に、凹溝１は単調な繰り返しで配置されることがなく、変化のある外観に壁面を形成することができるものである。
【発明を実施するための最良の形態】
【００１６】
以下、本発明を実施するための最良の形態を説明する。
【００１７】
外装板２は、セメントなどの窯業系材料、鋼板などの金属系材料、あるいはポリ塩化ビニルなどのプラスチック系材料で製造されるものであり、図の実施の形態では横長の長方形に形成してある。外装板２としては複数種類のものが準備されるが、各種類とも、同じ外形形状・寸法に形成し、また同じ表面テクスチャーに形成するようにしてある。ここで、表面テクスチャーが同じとは、表面材質、細かい凹凸、肌触りなどが共通していることをいい、凹溝１以外の表面が同じ外観に形成されることをいう。また複数種類の各外装板２は同じ色彩に塗装して、同じ表面色彩を有するようにしてもよい。
【００１８】
そして外装板２は、その表面に凹溝１を設けないか、表面に設けた凹溝１の本数が異なる、複数種類のものが準備されるものである。すなわち、表面に凹溝１が０本〜複数本の間の本数で設けられた、凹溝１の本数が異なる複数種類の外装板２が準備されるものである。この凹溝１は、外装板２の長手方向の全長に亘って、長手辺と平行な直線状に形成されるものであり、各外装板２において凹溝１の溝幅、溝深さは総て同一に形成してある。
【００１９】
図１の実施の形態では、外装板２として、凹溝１を設けていない（つまり凹溝１が０本）外装板２ａ、凹溝１を１本設けた外装板２ｂ、凹溝１を３本設けた外装板２ｃの３種類のものを用いるようにしてある。凹溝１の本数は勿論、これらに限定されるものではなく、２本、４本、さらにそれ以上のものであってもよい。また、各外装板２の一方の長手辺には凹段溝３が長手方向の全長に亘って直線状に形成してある。この凹段溝３は後述のように外装板２を長手辺で接合して接続する際に、隣り合う外装板２間に凹溝１と同じ溝幅・溝深さの凹溝１ａが形成されるように、その幅や深さが設定されるものである。
【００２０】
また各外装板２にあって、凹溝１は、外装板２を短手方向（凹段溝３を除く）で等間隔に分割する位置に設けられるものである。例えば外装板２ｂのように凹溝１を１本設ける場合は、外装板２を短手方向に２等分する位置に、外装板２ｃのように凹溝１を３本設ける場合は、外装板２を短手方向に４等分する位置に、凹溝１を設けるものであり、つまり凹溝１がｎ本（ｎは整数）のとき、外装板２を短手方向にｎ＋１等分する位置に凹溝１を設けるものである。
【００２１】
上記のように形成される外装板２を張り並べて家屋の外壁を形成することができる。外壁の施工構造の一例を図１１に示す。外壁の下地構造材として、柱６と、柱６間の間柱７が立設してあり、柱６及び間柱７の屋外面間に防水紙８が張ってある。そして外壁板２を縦横に複数枚配置して、取付金具９で外壁板２の端縁を柱６や間柱７に固定することによって、縦横に接続した複数枚の外装板２で外壁の壁面を形成することができるものである。図１１において１０は外装板２と同材質の出隅用外装板である。
【００２２】
そしてこのように外装板２を接続して張り並べて外壁面を形成するにあたって、図１の３種類の外装板２ａ，２ｂ，２ｃを用いる場合、例えば図２（ａ）のように、下から、外装板２ｂ、外装板２ａ、外装板２ａ、外装板２ｃ、外装板２ｃの順に上下に接続することによって、外壁面を形成することができる。また図２（ｂ）のように、下から、外装板２ｃ、外装板２ｂ、外装板２ａ、外装板２ｂ、外装板２ｃの順に上下に接続することによっても、外壁面を形成することができる。
【００２３】
各外装板２は凹溝１を除いて共通した外観を有するために、図２（ａ）（ｂ）にみられるように、外装板２に設けた凹溝１と、外装板２の長手端縁の凹段溝３によって隣り合う外壁板２間に形成される凹溝１ａとによって、凹溝１（及び凹溝１ａ）を基調とした模様で、外壁面の全面に統一感のある外観を形成することができるものである。また凹溝１の本数の異なる複数種の外装板２を組み合わせているため、凹溝１の配置が単調な繰り返しになるようなことがなく、凹溝１の間隔が疎な部分と密な部分とができて、変化のある外観に壁面を形成することができるものである。しかも凹溝１は、外装板２を短手方向に等間隔に分割する位置に設けられているため、凹溝１の配置は不規則で煩雑なものになることがなく、変化を与えつつ統一感のある外観を形成することができるものである。そして、図２（ａ）（ｂ）のように複数種の外装板２を任意に組み合わせて任意の位置に配置することによって、各種の異なる外観の外壁面を形成することができるものである。
【００２４】
特に凹溝１は日差しと見る位置との関係による陰影効果で意匠変化を得ることができ、壁面の外観向上の効果を高く得ることができるものである。例えば図２（ａ）のものでは、壁面の上部で凹溝１（及び凹溝１ａ）の間隔が密であるため、壁面の上部の陰影を強調した意匠変化を与えることができ、また図２（ｂ）のものでは壁面の上部と下部で凹溝１（及び凹溝１ａ）の間隔が密であるため、壁面の上部と下部の陰影を強調して意匠変化を与えることができるものである。
【００２５】
図３は、外装板２として図１の３種類の外装板２ａ，２ｂ，２ｃを用い、この各外装板２を長手辺で上下に接続すると共に、短手辺で左右にも接続するようにした例を示すものである。このように外装板２を短手辺で接続するにあたって、凹溝１の本数が異なる外装板２を接続する際に、凹溝１の本数が多い外装板２の凹溝１の端部に、凹溝１の本数が少ない外装板２の総ての凹溝１の端部が一致して、この凹溝１が連続するようになっている。本数が異なる外装板２を短手辺で接続する場合、隣り合う外装板２の凹溝１が連続していないと、外装板２の連続性が途切れることになるが、上記のようにすれば、本数が異なる外装板２において最大限の凹溝１を連続させることができ、外装板２を連続性のある外観で接続することができるものであり、外壁面の全面に自然で統一感のある外観を形成することが容易になるものである。図３の実施の形態では、外装板２は短手辺で直接接続するようにしたが、外装板２の接続端部間に溝が形成されるようにしてもよい。
【００２６】
尚、上記のように外装板２を短手方向に等間隔に分割する位置に凹溝１を設ける場合、凹溝１が１本の外装板２ｂと凹溝１が３本の外装板２ｃを短手辺で接続するときには、最大限の凹溝１を連続させることができる。凹溝１がその他の本数の外装板２を短手辺で接続するときには必ずしも最大限の凹溝１を連続させることはできないので、その場合には、外装板２を短手方向に等間隔に分割する位置以外の位置に凹溝１を設けることになる。
【００２７】
図４は、外装板２として、凹溝１を設けていない（つまり凹溝１が０本）外装板２ａ、凹溝１を３本設けた外装板２ｃの２種類のものを用いるようにした実施の形態である。
【００２８】
そしてこの２種類の外装板２ａ，２ｃを用いて、例えば図５（ａ）のように、下から、外装板２ａ、外装板２ａ、外装板２ｃ、外装板２ｃの順に上下に接続することによって、外壁面を形成することができ、また図５（ｂ）のように、下から、外装板２ａ、外装板２ｃ、外装板２ａ、外装板２ｃの順に上下に接続することによっても、外壁面を形成することができる。
【００２９】
図６は、外装板２として、凹溝１を設けていない外装板２ａと、凹溝１を７本設けた外装板２ｄの２種類のものを用いるようにした実施の形態である。そしてこの２種類の外装板２ａ，２ｄを用いて、例えば下から、外装板２ａを３枚、外装板２ｄを３枚上下に接続することによって、外壁面を形成することができる。このものでは、壁面の上部で凹溝１の間隔が密であるため、壁面の上部の陰影を強調した意匠変化を与えることができる。
【００３０】
図７は、外装板２として、凹溝１を設けていない外装板２ａと、凹溝１を１本設けた外装板２ｂと、凹溝１を７本設けた外装板２ｄの３種類のものを用いるようにした実施の形態である。そしてこの３種類の外装板２ａ，２ｂ，２ｄを用いて、例えば下から、外装板２ａ、外装板２ｂ、外装板２ａ、外装板２ｂ、外装板２ｄ、外装板２ｄを上下に接続することによって、外壁面を形成することができる。このものでは、壁面の上部で凹溝１の間隔を密に、下部で凹溝１の間隔を疎に配置して意匠変化を与えることができる。
【００３１】
図８は、外装板２として、凹溝１を設けていない外装板２ａと、凹溝１を７本設けた外装板２ｄの２種類のものを用いるようにした実施の形態である。そしてこの２種類の外装板２ａ，２ｄを用いて、例えば、複数枚の外装板２ａを長手辺同士で上下に接続して配置し、また複数枚の外装板２ｄを長手辺同士で上下に接続して配置し、これらの外装板２ａと外装板２ｄを短手辺で左右に接続することによって、外壁面を形成することができる。このものでは、外壁の左右で凹溝１の疎密に大きな変化を与えることができ、左右でイメージが大きく異なる壁面を形成することができるものである。
【００３２】
図９の参考形態は、凹溝１と直交して交差する交差溝４を外装板２の表面に設けるようにしたものである。交差溝４は隣り合う凹溝１間、あるいは隣り合う凹溝１と凹段溝３を繋ぐように形成されるものである。図の形態では凹溝１を横溝、交差溝４を縦溝として形成されるようにしてあり、交差溝４の溝幅は凹溝１の溝幅より狭く形成してある。
【００３３】
そして図９の参考形態では、外装板２として、凹溝１を１本設けると共に交差溝４を複数本設けた外装板２ｅと、凹溝１を３本設けると共に交差溝４を複数本設けた外装板２ｆの２種類のものを用いるようにしてある。この２種類の外装板２ｅ，２ｆを用いて、例えば図１０（ａ）のように、下から、外装板２ｅ、外装板２ｅ、外装板２ｆ、外装板２ｆの順に上下に接続することによって、外壁面を形成することができ、また図９（ｂ）のように、下から、外装板２ｅ、外装板２ｆ、外装板２ｅ、外装板２ｆの順に上下に接続することによっても、外壁面を形成することができる。この図１０（ａ）（ｂ）にみられるように、凹溝１と交差する交差溝４によって、変化のある外観に壁面を形成することができるものである。
【図面の簡単な説明】
【００３４】
【図１】本発明の実施の形態の一例における、外装板を示すものであり、（ａ）（ｂ）（ｃ）はそれぞれ正面図である。
【図２】同上の外装板から形成される外壁面の一例を示すものであり、（ａ）（ｂ）はそれぞれ正面図である。
【図３】同上の外装板から形成される外壁面の他の一例を示す正面図である。
【図４】本発明の実施の形態の他の一例における、外装板を示すものであり、（ａ）（ｂ）はそれぞれ正面図である。
【図５】同上の外装板から形成される外壁面を示すものであり、（ａ）（ｂ）はそれぞれ正面図である。
【図６】本発明の実施の形態の他の一例の外壁面を示す正面図である。
【図７】本発明の実施の形態の他の一例の外壁面を示す正面図である。
【図８】本発明の実施の形態の他の一例の外壁面を示す正面図である。
【図９】参考形態の一例における、外装板を示すものであり、（ａ）（ｂ）はそれぞれ正面図である。
【図１０】同上の外装板から形成される外壁面を示すものであり、（ａ）（ｂ）はそれぞれ正面図である。
【図１１】外壁の施工構造の一例を示す斜視図である。
【符号の説明】
【００３５】
１  凹溝
２  外装板
３  凹段溝
４  交差溝
【図１】
0005226991.tif 000002
【図２】
0005226991.tif 000003
【図３】
0005226991.tif 000004
【図４】
0005226991.tif 000005
【図５】
0005226991.tif 000006
【図６】
0005226991.tif 000007
【図７】
0005226991.tif 000008
【図８】
0005226991.tif 000009
【図９】
0005226991.tif 000010
【図１０】
0005226991.tif 000011
【図１１】
0005226991.tif 000012